(57)【要約】【課題】  和装時にも用いることができる、バッグ型ブーケを提供すること。【解決手段】  ブーケの一端部を収容する空間Ｓと、前記空間Ｓと連通する少なくとも１つの開口部１１ａとを有する花器本体１１と、その花器本体１１に取り付けられる持ち手１２とから構成されるバッグ型花器において、前記花器本体１１の前記開口部１１ａが形成されていない表面に、生地２が貼り付けられ、かつ、前記持ち手１２は、生地で包まれていることを特徴とする。また、この生地は着物用の生地１２ｂであることが好ましい。【選択図】      図１
0003115879.tif 000002
【実用新案登録請求の範囲】
【請求項１】
ブーケの一端部を収容する空間と、前記空間と連通する少なくとも１つの開口部とを有する花器本体と、その花器本体に取り付けられる持ち手とから構成されるバッグ型花器において、
前記花器本体の前記開口部が形成されていない表面に、生地が貼り付けられ、かつ、前記持ち手は、生地で包まれていることを特徴とするバッグ型花器。
【請求項２】
前記花器本体は、球形状、玉子形状又は箱形状であることを特徴とする請求項１記載のバッグ型花器。
【請求項３】
前記生地は、着物用の生地であることを特徴とする請求項１又は請求項２記載のバッグ型花器。
【考案の詳細な説明】
【技術分野】
【０００１】
本発明は、ブーケ用のバッグ型花器の改良に関するものであり、特に、和装時であっても違和感のないデザインを有するブーケ用のバッグ型花器に関するものである。
【背景技術】
【０００２】
ブーケは本来花を束ねたもの、すなわち花束のこと言う。このブーケを挙式に用いたのは、古くはヨーロッパと言われ、教会へ向かう際に男性が女性のために野に咲いている花を摘んで、花束にし、思いを込めて花嫁となる女性に捧げたのが由来とされている。
これに習い、我が国においても、挙式において花嫁がブーケを持つことが多くなっている。
【０００３】
また、近年、挙式には個性的なものが好まれるようになっており、これに伴いブーケも単なる花束ではなく、多種多様なものが登場している。例えば、持ち手を有する花器に生花又は造花のブーケを挿し、花嫁が腕に下げて又は手に持って用いるバッグ型花器がある。
【０００４】
一方、我が国においては、着物による和装の挙式も多く行われている。和装の挙式の場合、花嫁は正式には白扇子を持つことになる。
【考案の開示】
【考案が解決しようとする課題】
【０００５】
しかしながら、ブーケは、上述のようにヨーロッパを由来とするため、バッグ型花器も洋装に合うようにデザインされていた。このため、我が国の和式による挙式の場合には、和装とバッグ型花器とのデザインが合わず、和装の花嫁がバッグ型花器を持つと違和感があり、和装の花嫁はバッグ型花器を持つことができなかった。
【０００６】
そこで、本考案は、上記状況に鑑みてなされたものであり、和装時に使用しても違和感がない、バッグ型花器を提供することを目的とする。
【課題を解決するための手段】
【０００７】
上記課題を解決するためになされたこの考案は、ブーケの一端部を収容する空間と、前記空間と連通する少なくとも１つの開口部とを有する花器本体と、その花器本体に取り付けられる持ち手とから構成されるバッグ型花器において、前記花器本体の前記開口部が形成されていない表面に、生地が貼り付けられ、かつ、前記持ち手は、生地で包まれていることを特徴とする。
【０００８】
また、前記花器本体は、球形状、玉子形状又は箱形状であることが望ましい。さらに、前記生地は、着物用の生地であることが望ましい。
【考案の効果】
【０００９】
上記の如く構成する本考案によれば、バッグ型花器の形状や模様を和装に合うように作成したため、和装時にも違和感なく用いることができる。
【考案を実施するための最良の形態】
【００１０】
次に、この考案の実施形態を図面を参照しながら説明する。
ここで、図１は本考案に係るバッグ型花器の第１の実施形態における斜視図、図２（ａ），（ｂ）は図１に示すバッグ型花器の構成部品についての説明図、図３は図１に示す本考案に係るバッグ型花器の使用状態を示す説明図、図４は本考案に係るバッグ型花器の第２の実施形態を示した斜視図、図５は本考案に係るバッグ型花器の第３の実施形態を示した斜視図である。
【００１１】
まず、図１乃至図３を用いて、本願考案に係るバッグ型花器の第１の実施形態について説明する。
これらの図において符号１は、本考案に係るバッグ型花器を示している。このバッグ型花器１は、ブーケの一端部を収容する空間Ｓを有する球形状の花器本体１１と、その花器本体１１の上部表面に取り付けられる持ち手１２とから構成されている。
【００１２】
詳しく説明すると、花器本体１１は、図２（ａ）に示すように、半球形状の発泡スチロールの内部を刳り貫き空間Ｓを形成すると共に、これらを重ね合わせて球形状としたものである。
また、花器本体１１の表面には、前記空間Ｓと連通する開口部１１ａ，１１ｂ，１１ｃが形成されている。この開口部１１ａ，１１ｂ，１１ｃの位置や数には特に限定はなく、上部や側部等に１つ又は複数設けることができる。さらに、開口部１１ａ，１１ｂ，１１ｃの形状は、円形、三角形、四角形等のように多種多様なものを採用することができる。
さらに、花器本体１１の開口部１１ａ，１１ｂ，１１ｃが形成されていない表面には、着物用の生地２が貼り付けられている。
【００１３】
次に、持ち手１２は、図２（ｂ）に示すように、厚手の生地からなる持ち手本体１２ａは、着物用の生地１２ｂで包まれて形成されている。また、持ち手１２は、その両端近傍を絞って持ち手本体１２ａと生地１２ｂを縫着すると共に、その縫着部分は針金等を用いて前記花器本体１１に取り付けられている。
なお、着物用の生地１２ｂは、その長手方向の中央部分１２ｃが縫われ、生地１２ｂに弛みを持たせるように形成されていることが好ましい。
【００１４】
このように構成された本考案に係るバッグ型ブーケ１は、図３に示すように、開口部１１ａから花器本体１１の空間Ｓに生花又は造花のブーケの端部を収容し、持ち手１２により腕に下げて又は持って用いることができる。
特に、花器本体１１の開口部１１ａ，１１ｂ，１１ｃが形成されていない表面に、着物用の生地２を貼り付け、かつ、持ち手本体１２ａを着物用の生地１２ｂで包んだ場合には、外観が手毬をイメージしたものとなり、挙式において和装の花嫁が用いた場合であっても、違和感がない。
【００１５】
なお、上記実施形態においては、花器本体１１の表面に３つの開口部を設けているが、図３に示すように開口部１１ａの１つのみブーケを挿しても良く、また、全ての開口部１１ａ，１１ｂ，１１ｃにブーケを挿しても良い。
【００１６】
また、本考案の他の実施形態として、図４に示すように、花器本体１１を玉子形状に変更して用いることもできる。さらに、図５に示すように、花器本体１１を球形状から箱形状に変更して用いることもできる。この場合であっても、花器本体１１はその表面に生地２が貼り付けられ、かつ、持ち手本体１２ａは生地１２ｂで包まれているため、和装の花嫁が持っても違和感なく用いることができる。
【産業上の利用可能性】
【００１７】
本発明に係るバッグ型花器は、洋風な生地を用いることにより、洋装にも当然に用いることができる。また、挙式以外にも、パーティや多種の場面で用いることができる。
さらに、バッグとして腕に下げる等して用いずに、通常の花器と同様にリング状の安定具等を下に敷き、机等の上に置くこともできる。
【図面の簡単な説明】
【００１８】
【図１】本考案に係るバッグ型バッグ型花器の第１の実施形態における斜視図である。
【図２】図１に示す本考案に係るバッグ型花器の構成部品についての説明図である。
【図３】図１に示す本考案に係るバッグ型花器の使用状態を示す説明図である。
【図４】本考案に係るバッグ型花器の第２の実施形態を示した斜視図である。
【図５】本考案に係るバッグ型花器の第３の実施形態を示した斜視図である。
【符号の説明】
【００１９】
１      バッグ型花器
１１    花器本体
１１ａ，１１ｂ，１１ｃ  開口部
１２    持ち手
１２ａ  持ち手本体
１２ｂ  生地
１２ｃ  中央部分
２      生地
【図１】
0003115879.tif 000003
【図２】
0003115879.tif 000004
【図３】
0003115879.tif 000005
【図４】
0003115879.tif 000006
【図５】
0003115879.tif 000007